(57)【要約】【課題】同期検知信号上に偽信号が正規信号よりも先に発生した場合に、同期検知信号の立下りに基づいて、画像情報の書き込みを開始させることのできる光書込装置および画像形成装置を提供できるようにする。【解決手段】同期検知センサで生成した同期検知信号(A)を基準として主走査カウンタでクロックをカウントし、カウント値が、マスク信号(M)信号を生成するタイミングを制御するために予め設定された信号生成カウント値に到達した際に、マスク信号(M)を生成し、同期検知信号(A)とマスク信号(M)の論理積演算を行って、偽信号を除去した同期検知出力信号(O)を出力する。【選択図】        図５
2008216564.tif 000002
【特許請求の範囲】
【請求項１】
主走査方向の書き込み開始位置を示す同期検知信号上に発生した偽信号を除去する光書込装置であって、
前記同期検知信号を生成する同期検知信号生成手段と、
前記同期検知信号生成手段により生成された同期検知信号上に偽信号が正規信号よりも先に発生した場合に、前記偽信号が発生するタイミングに基づいて、前記偽信号を除去するためのマスク信号を生成するマスク信号生成手段と、
前記マスク信号生成手段により生成されたマスク信号により前記偽信号をマスクして除去する偽信号除去手段とを備える、
ことを特徴とする光書込装置。
【請求項２】
前記偽信号除去手段は、前記同期検知信号生成手段により生成された同期検知信号と前記マスク信号生成手段により生成されたマスク信号の論理積演算を行って前記偽信号を除去した同期検知信号を出力する論理積回路で構成される、
ことを特徴とする請求項１に記載の光書込装置。
【請求項３】
前記タイミングを計るために、前記同期検知信号生成手段により生成された同期検知信号を基準にクロックをカウントする主走査カウンタをさらに備え、
前記マスク信号生成手段は、前記主走査カウンタの値が所定の値に到達した際に、前記マスク信号を生成する、
ことを特徴とする請求項１または請求項２に記載の光書込装置。
【請求項４】
画像形成に係る条件に応じて前記所定の値を設定する設定手段をさらに備える、ことを特徴とする請求項３に記載の光書込装置。
【請求項５】
前記同期検知信号生成手段により生成された同期検知信号について少なくとも２周期分の各時間間隔を計測する間隔計測手段と、
前記間隔計測手段により計測した各時間間隔が異なる場合に、前記各時間間隔に基づいて、前記所定の値を設定する設定手段とをさらに備える、
ことを特徴とする請求項３に記載の光書込装置。
【請求項６】
前記間隔計測手段により計測された前記各時間間隔を不揮発性メモリに記憶させ、
前記設定手段は、前記不揮発性メモリに記憶されている前記各時間間隔に基づいて、前記所定の値を設定する、
ことを特徴とする請求項５に記載の光書込装置。
【請求項７】
主走査方向の書き込み開始位置を示す同期検知信号上に発生した偽信号を除去する光書込装置であって、
前記同期検知信号を生成する同期検知信号生成手段と、
前記同期検知信号生成手段により生成された同期検知信号上に偽信号が正規信号よりも先に発生した場合に、前記偽信号を少なくとも当該偽信号の時間幅分遅延させた遅延信号を生成する遅延信号生成手段と、
前記遅延信号生成手段により生成された遅延信号を用いて前記偽信号を除去する偽信号除去手段とを備える、
ことを特徴とする光書込装置。
【請求項８】
前記偽信号除去手段は、前記同期検知信号生成手段により生成された同期検知信号と前記遅延信号生成手段により生成された遅延信号の論理積演算を行って前記偽信号を除去した同期検知信号を出力する論理積回路で構成される、
ことを特徴とする請求項７に記載の光書込装置。
【請求項９】
前記偽信号除去手段は、複数の前記同期検知信号生成手段を備える場合に、前記複数の前記同期検知信号生成手段により生成された複数の同期検知信号上の偽信号のうち、一部の同期検知信号上の偽信号のみを除去する、
ことを特徴とする請求項１〜請求項８のいずれか一つに記載の光書込装置。
【請求項１０】
主走査方向の書き込み開始位置を示す同期検知信号上に発生した偽信号を除去する画像形成装置であって、
前記請求項１〜前記請求項９のいずれか一つに記載の光書込装置を備える、
ことを特徴とする画像形成装置。
【発明の詳細な説明】
【技術分野】
【０００１】
本発明は、光書込装置および画像形成装置に関し、特に、主走査方向の書き込み開始位置を示す同期検知信号上に発生した偽信号を除去する光書込装置および画像形成装置に関する。
【背景技術】
【０００２】
レーザ光により感光体を走査して画像情報を書き込む画像形成装置においては、主走査方向の先端位置や後端位置に同期検知センサを配設し、レーザダイオードが発光するレーザ光を同期検知センサ内部の受光部で検知し、検知したレーザ光に対応する信号を主走査方向の書き込み開始位置を示す同期検知信号として出力し、出力された同期検知信号に基づいて、主走査方向の書き出しを開始する。
【０００３】
また、予め定めた時間分だけ、同期検知信号上の偽信号（ノイズパルス）を除去するためのマスク信号を生成し、生成したマスク信号により偽信号をマスクして同期検知信号上の偽信号を除去する技術が開示されている（特許文献１）。
【０００４】
【特許文献１】特開平８−２４２３４３号公報
【発明の開示】
【発明が解決しようとする課題】
【０００５】
ところで、レーザ光により感光体を走査して画像情報を書き込む画像形成装置においては、同期検知センサ内に入射したレーザ光が、同期検知センサ内で反射を繰り返した後に同期検知センサ内部の受光部で検知され、検知された同期検知信号上に、偽信号が正規の信号よりも先に発生する場合がある。
【０００６】
かかる場合に、特許文献１では、同期検知信号の立下りから、予め定めた時間分だけ、同期検知信号上の偽信号を除去するためのマスク信号を生成し、生成したマスク信号により偽信号をマスクして同期検知信号上の偽信号を除去するので、同期検知信号の立下りにおいて、画像情報の書き込み開始位置とすることができないという問題がある。
【０００７】
本発明は、上記問題点に鑑みてなされたものであって、同期検知信号上に偽信号が正規信号よりも先に発生した場合に、同期検知信号の立下りに基づいて、画像情報の書き込みを開始させることのできる光書込装置および画像形成装置を提供することを目的とする。
【課題を解決するための手段】
【０００８】
上述した課題を解決し、目的を達成するために、本発明は、主走査方向の書き込み開始位置を示す同期検知信号上に発生した偽信号を除去する光書込装置であって、前記同期検知信号を生成する同期検知信号生成手段と、前記同期検知信号生成手段により生成された同期検知信号上に偽信号が正規信号よりも先に発生した場合に、前記偽信号が発生するタイミングに基づいて、前記偽信号を除去するためのマスク信号を生成するマスク信号生成手段と、前記マスク信号生成手段により生成されたマスク信号により前記偽信号をマスクして除去する偽信号除去手段とを備える、ことを特徴とする。
を特徴とする。
【０００９】
また、本発明の好ましい態様によれば、前記偽信号除去手段は、前記同期検知信号生成手段により生成された同期検知信号と前記マスク信号生成手段により生成されたマスク信号の論理積演算を行って前記偽信号を除去した同期検知信号を出力する論理積回路で構成される、ことが望ましい。
【００１０】
また、本発明の好ましい態様によれば、前記タイミングを計るために、前記同期検知信号生成手段により生成された同期検知信号を基準にクロックをカウントする主走査カウンタをさらに備え、前記マスク信号生成手段は、前記主走査カウンタの値が所定の値に到達した際に、前記マスク信号を生成する、ことが望ましい。
【００１１】
また、本発明の好ましい態様によれば、画像形成に係る条件に応じて前記所定の値を設定する設定手段をさらに備える、ことが望ましい。
【００１２】
また、本発明の好ましい態様によれば、前記同期検知信号生成手段により生成された同期検知信号について少なくとも２周期分の各時間間隔を計測する間隔計測手段と、前記間隔計測手段により計測した各時間間隔が異なる場合に、前記各時間間隔に基づいて、前記所定の値を設定する設定手段とをさらに備える、ことが望ましい。
【００１３】
また、本発明の好ましい態様によれば、前記間隔計測手段により計測された前記各時間間隔を不揮発性メモリに記憶させ、前記設定手段は、前記不揮発性メモリに記憶されている前記各時間間隔に基づいて、前記所定の値を設定する、ことが望ましい。
【００１４】
上述した課題を解決し、目的を達成するために、本発明は、主走査方向の書き込み開始位置を示す同期検知信号上に発生した偽信号を除去する光書込装置であって、前記同期検知信号を生成する同期検知信号生成手段と、前記同期検知信号生成手段により生成された同期検知信号上に偽信号が正規信号よりも先に発生した場合に、前記偽信号を少なくとも当該偽信号の時間幅分遅延させた遅延信号を生成する遅延信号生成手段と、前記遅延信号生成手段により生成された遅延信号を用いて前記偽信号を除去する偽信号除去手段とを備える、ことを特徴とする。
【００１５】
また、本発明の好ましい態様によれば、前記偽信号除去手段は、前記同期検知信号生成手段により生成された同期検知信号と前記遅延信号生成手段により生成された遅延信号の論理積演算を行って前記偽信号を除去した同期検知信号を出力する論理積回路で構成される、ことが望ましい。
【００１６】
また、本発明の好ましい態様によれば、前記偽信号除去手段は、複数の前記同期検知信号生成手段を備える場合に、前記複数の前記同期検知信号生成手段により生成された複数の同期検知信号上の偽信号のうち、一部の同期検知信号上の偽信号のみを除去する、ことが望ましい。
【００１７】
上述した課題を解決し、目的を達成するために、本発明は、主走査方向の書き込み開始位置を示す同期検知信号上に発生した偽信号を除去する画像形成装置であって、前記光書込装置を備える、ことを特徴とする。
【発明の効果】
【００１８】
本発明によれば、同期検知信号を生成し、生成した同期検知信号上に偽信号が正規信号よりも先に発生した場合に、偽信号が発生するタイミングに基づいて、偽信号を除去するためのマスク信号を生成し、生成したマスク信号により偽信号をマスクして除去するので、同期検知信号上に偽信号が正規信号よりも先に発生した場合に、同期検知信号の立下りに基づいて、画像情報の書き込みを開始させることができるという効果を奏する。
【発明を実施するための最良の形態】
【００１９】
以下に添付図面を参照して、本発明にかかる光書込装置および画像形成装置の最良な実施の形態を詳細に説明する。なお、この実施の形態によりこの発明が限定されるものではない。また、この実施の形態における構成要素には、当業者が容易に想定できるもの、または実質的に同一のものが含まれる。
【００２０】
（第１の実施の形態）
図１は、本発明の第１の実施の形態にかかる画像形成装置１００の構成の一例を示す図である。第１の実施の形態の画像形成装置１００は、レーザ光を照射して静電潜像を形成し、形成した静電潜像に対応したトナー画像を転写媒体上に形成する電子写真方式を採用したものである。
【００２１】
第１の実施の形態の画像形成装置１００は、同図に示すように、スキャナ部２００と、スキャナ部２００で読み込んだ画像を形成するエンジン部３００とから構成されている。
【００２２】
スキャナ部２００は、原稿台２１０上に置かれた原稿２１２をスキャン露光することで、原稿２１２にかかる文書情報を画像信号に変換するためのものである。スキャナ部２００内部の露光ランプ２２０は、原稿台２１０に沿って、スキャン露光を実施する。
【００２３】
原稿２１２からの反射光は、キャリッジミラー２３０、第一ハーフスキャンミラー２４０、第二ハーフスキャンミラー２５０、結像ミラー２６０、光学レンズ２７０を経て、ＣＣＤ（Charge Coupled Device）センサ２８０によって光電変換された後、反射光に応じた電気信号となる。光電変換によって生成された画像信号は、画像処理部４００（図３参照）で画像処理が施された後、エンジン部３００へ送信される。
【００２４】
エンジン部３００では、帯電装置である帯電チャージャ３２０によって一様に帯電された一定回転する感光体ドラム５を、光書込装置３１０からのレーザ光で露光することにより静電潜像を生成する。感光体ドラム５上に生成された静電潜像を現像装置３２１によりトナーで現像することにより可視像となる。
【００２５】
一方、予め給紙ローラ３２２によって給紙トレイ３２３から給紙搬送され、レジストローラ３２４で待機した転写紙３２５を、感光体ドラム５の駆動と同期を取って搬送し、転写装置である転写チャージャ３２６によって感光体ドラム５上のトナーを転写紙３２５に静電転写し、用紙分離チャージャ３２７によって転写紙３２５を感光体ドラム５から分離させる。分離させた後、転写紙３２５上のトナー像を定着装置３２８により加熱定着させ、排紙ローラ３２９により排紙トレイ３３０に排紙する。
【００２６】
一方、静電転写後の感光体ドラム５上に残留したトナー画像は、クリーニング装置３３１が感光体ドラム５に圧接して除去し、感光体ドラム５は除電ランプ３３２の照射光によって除電される。
【００２７】
以上のように、第１の実施の形態の画像形成装置１００は、これら一連のプロセスを繰り返すことにより画像を形成している。
【００２８】
ここで、上記エンジン部３００を構成する光書込装置３１０は、レーザ光により感光体ドラム５を走査して露光するものである。光書込装置３１０は、詳細には、図２に示すように、レーザダイオードユニット（以下、「ＬＤユニット」と称する）１からのレーザ光Ｌ１をコリメートレンズによって平行光線として放出し、放出したレーザ光Ｌ１を回転多面鏡（以下、「ポリゴンミラー」と称する）２によって偏向走査させ、偏向走査させたレーザ光Ｌ２を、ｆ−θレンズ３から構成される結像レンズおよび反射ミラー４によって、ドラム状の感光体ドラム５の帯電した表面に結像させる。この際に、レーザ光Ｌ１は、画像信号に基づいて変調されて点灯、消灯を繰り返し、ポリゴンミラー２の回転に従って、主走査方向に反復して走査されるとともに、感光体ドラム５が回転して副走査を行なうことによって感光体ドラム５上に静電潜像が形成される。
【００２９】
なお、かかる形成された静電潜像は、帯電した現像剤（トナー）によって現像され、さらに現像剤とは反対の電荷を与えられた転写紙３２５が、感光体ドラム５に密着させられることにより、現像剤が転写紙３２５に転写される。そして、転写紙３２５が感光体ドラム５から分離した後、加熱されることで現像剤が転写紙３２５上に融着して定着が行われる。
【００３０】
感光体ドラム５に照射されるレーザ光の主走査方向の先端位置には、同期検知ミラー６が配設されている。同期検知ミラー６で反射したレーザ光Ｌ３は、レーザ光の一走査の周期を検知するために、図３に示すように、同期検知センサ７内部の受光部７１で検出される。
【００３１】
図４は、光書込装置３１０の構成の一例を示す図である。光書込装置３１０は、大別して、同図に示すように、レーザ光を放出するためのＬＤユニット１と、ＬＤユニット１から放出されたレーザ光を偏向走査させるためのポリゴンミラー２と、ポリゴンミラー２を回転させるためのポリゴンモータ２１と、ポリゴンモータ２１の回転を制御するためのポリゴンモータドライバ２２と、ＬＤユニット１から放出されて偏光走査されるレーザ光に対応する同期検知信号(A)を生成する同期検知センサ７と、光書込装置３１０全体を制御するための制御部３０とを備えて構成されている。
【００３２】
なお、制御部３０には、同図に示すように、画像データから書き込み信号を生成するための画像処理部４００が接続されている。また、画像処理部４００には、画像データの取り込みなどを制御するコントローラ５００が接続されている。また、コントローラ５００には、コントローラオペレータのために表示、入力を行うための操作・表示部６００、スキャナ部２００、および外部からプリント要求などを受け取るためのネットワークＩ／Ｆ７００が接続されている。
【００３３】
なお、操作・表示部６００は、画像形成に係る条件を利用者から受け付けることができる。操作・表示部６００は、例えば、タッチパネルにより、その機能を発揮することができる。ここで、画像形成に係る条件とは、出力画像の解像度（ｄｐｉ）や転写紙のサイズ（ｍｍ）などの印刷動作条件をいう。
【００３４】
ＬＤユニット１は、同図に示すように、レーザであるレーザダイオード１１と、レーザダイオード１１の点灯制御や光量調節などを行うＬＤドライバ１２とをさらに備えており、レーザダイオード１１からレーザ光を放出するためのものである。
【００３５】
同期検知信号生成手段としての同期検知センサ７は、レーザダイオード１１が発光したレーザ光に反応して、光量を電圧値に変換する受光部７１（図３参照）をさらに備えて構成されており、レーザ光に対応する同期検知信号(A)を生成する。なお、受光部７１は、例えば、フォトダイオードなどの受光素子により、その機能を発揮することができる。
【００３６】
制御部３０は、ポリゴンミラー２の回転速度値や制御プログラムなどを格納したＲＯＭ（Read Only Memory）３１と、ＲＡＭ（Random Access Memory）３２と、制御プログラムを実行するＣＰＵ（Central Processing Unit）３３と、レーザ光による書き込みを制御する専用ＩＣである書込み制御ＡＳＩＣ（Application Specific Integrated Circuit）３４とを備えており、画像形成のために、レーザダイオード１１とポリゴンミラー２の動作を制御するためのものである。この構成により、ＣＰＵ３３がＲＯＭ３１に格納されたプログラムに基づいて、ＲＡＭ３２のワーク領域を利用しながら動作することにより、書込み制御ＡＳＩＣ３４がＬＤドライバ１２やポリゴンモータドライバ２２の動作を制御することができる。
【００３７】
書込み制御ＡＳＩＣ３４は、同期検知センサ７で生成した同期検知信号(A)に基づいて、レーザ光の走査の書き込み開始時期を制御する。即ち、書込み制御ＡＳＩＣ３４は、同期検知センサ７で生成した同期検知信号(A)をトリガとして、ＬＤドライバ１２やポリゴンモータドライバ２２を制御して書き込みを開始させる。
【００３８】
しかしながら、図３に示すように、同期検知ミラー６で反射して同期検知センサ７へ角度を持って入射するレーザ光Ｌ３の中には、レーザ光Ｌ３１のように、同期検知センサ７内部のリードフレーム７３および樹脂パッケージ７２に当たって反射した後に、受光部７１に到達する場合がある。かかる場合には、図５上段に示すように、同期検知信号(A)上に、正規の信号（以下、「正規信号」と称する）ではない信号（以下、「偽信号」と称する）が正規信号よりも先に発生する場合がある。
【００３９】
このように、同期検知信号(A)上に、偽信号が正規信号よりも先に発生した場合においては、偽信号をトリガとして書き込み開始が開始されてしまう。そこで、書込み制御ＡＳＩＣ３４は、偽信号を除去し、偽信号が除去された信号（以下、「同期検知出力信号(O)」と称する）に基づいた書き込み制御を行う。
【００４０】
図６は、書込み制御ＡＳＩＣ３４の構成の一例を示す図である。第１の実施の形態の書込み制御ＡＳＩＣ３４は、同図に示すように、偽信号を除去するためのマスク信号(M)を生成するマスク信号生成回路３５と、同期検知センサ７で生成された同期検知信号(A)とマスク信号生成回路３５で生成されたマスク信号(M)の論理積演算を行って、偽信号を除去した同期検知信号（以下、「同期検知出力信号(O)」と称する）を出力する論理積回路３６と、同期検知信号(A)を基準にクロックをカウントする主走査カウンタ３７と、マスク信号(M)の生成タイミングを制御する値（以下、「信号生成カウント値」と称する）を設定するためのレジスタ（以下、「信号生成レジスタ」と称する）３８と、主走査カウンタ３７のカウント値と信号生成レジスタ３８に設定された信号生成カウント値とを比較するコンパレータ３９とから構成される。
【００４１】
なお、コンパレータ３９は、主走査カウンタ３７のカウント値が、信号生成レジスタ３８に設定されている信号生成カウント値よりも大きいときに、Ｈを出力する。
【００４２】
図５に示すように、偽信号を除去した同期検知出力信号(O)を論理積回路３６の出力端子から出力させるためには、同期検知信号(A)上に発生した偽信号の論理積回路３６への入力タイミングに合わせて、マスク信号(M)を入力させる必要がある。また、偽信号の入力タイミングに合わせてマスク信号(M)を入力させるためには、マスク信号(M)の生成タイミングを制御する必要がある。
【００４３】
同期検知センサ７内部で反射を繰り返すレーザ光Ｌ３１は、受光部７１に到達するまでの経路が予め決まっているため、偽信号の発生タイミングを予め把握することができる。そこで、マスク信号生成回路３５は、コンパレータ３９からＨが出力された際に、マスク信号(M)を生成する。
【００４４】
上述の通り、同期検知センサ７内部で反射するレーザ光Ｌ３１が受光部７１に到達するための経路は、予め決まっている。一方、印刷動作条件、特に画像の解像度（ｄｐｉ）や転写紙のサイズ（ｍｍ）が変更された場合には、主走査の周期も変更する。従って、印刷動作条件が変更された場合には、偽信号の発生タイミングも変更する。そこで、信号生成レジスタ３８には、上述した操作・表示部６００で受け付けた印刷動作条件に応じた信号生成カウント値を設定する。なお、印刷動作条件に応じた信号生成カウント値は、ＲＯＭ３１に予め記録されており、ＲＯＭ３１を参照して、印刷動作条件に応じた信号生成カウント値が信号生成レジスタ３８に設定されるものとする。
【００４５】
なお、マスク信号生成回路３５は、マスク信号生成手段として機能する。論理積回路３６は、偽信号除去手段として機能する。また、ＣＰＵ３３は、設定手段として機能する。
【００４６】
以上の構成において、第１の実施の形態の光書込装置３１０で行われる書込み開始処理について図７を参照して説明する。図７は、第１の実施の形態の光書込装置３１０で行われる書込み開始処理の手順を示すフローチャートである。なお、同期検知信号(A)上には、偽信号が正規信号よりも先に発生するものとする。
【００４７】
まず、操作・表示部６００の処理により、出力画像の解像度（ｄｐｉ）や転写紙のサイズなどの印刷動作条件を受け付ける（ステップＳＡ−１）。
【００４８】
ついで、ＣＰＵ３３の処理により、ステップＳＡ−１で受け付けた印刷動作条件に基づいた信号生成カウント値を、ＲＯＭ３１を参照して、信号生成レジスタ３８に設定する（ステップＳＡ−２）。
【００４９】
ついで、ＬＤドライバ１２を制御して、レーザダイオード１１からレーザ光を発光させる（ステップＳＡ−３）。ステップＳＡ−３で発光されたレーザ光が同期検知ミラー６を介して同期検知センサ７の受光部７１に受光されると、同期検知信号センサ７は、受光したレーザ光に対応する同期検知信号(A)を生成する（ステップＳＡ−４）。同期検知信号(A)が生成されると、マスク信号(M)の生成タイミングを制御するために、主走査カウンタ３７によるカウントが開始される（ステップＳＡ−５）。
【００５０】
主走査カウンタ３７によるカウント値が、ステップＳＡ−２で設定した信号生成カウント値に到達すると、即ち、コンパレータ３９からＨが出力されると（ステップＳＡ−６：Ｙｅｓ）、マスク信号生成回路３５はマスク信号(M)を生成する（ステップＳＡ−７）。
【００５１】
ついで、論理積回路３６は、ステップＳＡ−７で生成されたマスク信号(M)と、ステップＳＡ−４で生成した同期検知信号(A)の論理積演算を行い（ステップＳＡ−８）、同期検知出力信号(O)を出力する（ステップＳＡ−９）。
【００５２】
ついで、ステップＳＡ−９で論理積回路３６から出力された同期検知出力信号(O)上の正規信号の立下りに基づいて、画像情報の書き込みが開始される（ステップＳＡ−１０）。
【００５３】
以上説明したように、第１の実施の形態の画像形成装置１００によれば、同期検知信号(A)上に偽信号が正規信号よりも先に発生した場合に、偽信号が発生するタイミングに基づいて、マスク信号を生成し、生成したマスク信号により偽信号を除去することとしたので、同期検知信号(A)上の正規信号の立下りに基づいて、画像情報の書き込みを開始させることができる。
【００５４】
また、第１の実施の形態の画像形成装置１００によれば、マスク信号(M)の生成タイミングを制御するための信号生成カウント値を信号生成レジスタ３８に設定し、同期検知センサ７で生成した同期検知信号(A)に基づいた主走査カウンタ３７の値が、信号生成カウント値に到達した際に、マスク信号(M)を生成することとしたので、マスク信号(M)の生成タイミングを制御することができる。
【００５５】
また、第１の実施の形態の画像形成装置１００によれば、印刷動作条件毎に対応した信号生成カウント値を記録したＲＯＭ３１を参照して、印刷動作条件に基づいた信号生成カウント値を信号生成レジスタ３９に設定するので、印刷動作条件が変更されても、マスク信号(M)の生成タイミングを制御することができる。
【００５６】
また、図８に示すように、主走査方向の先端位置に配設された同期検知ミラー６と同期検知センサ７だけでなく、主走査方向の後端位置に配設された同期検知ミラー８と同期検知センサ９も備えている場合においては、後端位置に配設された同期検知センサ９で検知した同期検知信号(A)に対しては、偽信号の除去を行わず、先端位置の同期検知センサ７で生成した同期検知信号(A)のみから、偽信号を除去することとする。なお、かかる場合において、後端位置の同期検知センサ7で生成した同期検知信号(A)のみから、偽信号を除去する構成としてもよい。
【００５７】
このように、複数の同期検知センサ７によって複数の同期検知信号(A)が生成される場合、その一部の同期検知信号(A)上に発生した偽信号のみについて除去処理を行う構成とすることで、同期検知信号(A)から偽信号を除去するための回路構成を簡易にすることができる。
【００５８】
（第２の実施の形態）
次に、本発明にかかる第２の実施の形態の画像形成装置１００について説明する。なお、第２の実施の形態の説明においては、上述した第１の実施の形態の画像形成装置１００の説明と重複する説明を省略する場合がある。
【００５９】
第１の実施の形態では、操作・表示部６００で受け付けた印刷動作条件に基づいて、信号生成カウント値を信号生成レジスタ３８に設定した。
【００６０】
これに対して、第２の実施の形態では、同期検知信号(A)について２周期分の各時間間隔を計測し、計測した各時間間隔が異なる場合に、各時間間隔に基づいて、信号生成カウント値を信号生成レジスタ３８に設定する。
【００６１】
同期検知信号(A)について２周期分の各時間間隔を計測し、計測した各時間間隔が異なる場合には、偽信号が発生していると考えられる。計測した各時間間隔のうち最小値の時間間隔は、図９に示すように、偽信号から正規信号までの時間間隔を示すものと考えられる。また、計測した各時間間隔のうち最大値の時間間隔は、同図に示すように、正規信号から偽信号までの時間間隔を示すものと考えられる。そこで、第２の実施の形態では、偽信号の前後に合わせてマスク信号(M)を生成できるように、計測した各時間間隔に基づいて、信号生成カウント値を信号生成レジスタ３８に設定する。
【００６２】
図１０は、第２の実施の形態の光書込装置３１０の構成の一例を示す図である。同図に示すように、第２の実施の形態の光書込装置３１０は、第１の実施の形態の光書込装置３１０の構成に加えて、不揮発性メモリ（Non-Volatile storage）４０をさらに備えて構成されている。
【００６３】
第２の実施の形態のＣＰＵ３３は、同期検知センサ７で生成した同期検知信号(A)について、２周期分の各時間間隔を計測する。ＣＰＵ３３は、計測した各時間間隔が異なる場合には、各時間間隔に基づいた信号生成カウント値を信号生成レジスタ３８に設定する。
【００６４】
具体的には、同期検知信号(A)に偽信号が生じている場合には、図９に示す最小値の時間間隔と最大値の時間間隔が計測することができる。ＣＰＵ３３は、これらの時間間隔を参照して、偽信号の論理積回路３６への入力タイミングに合わせた信号生成カウント値を信号生成レジスタ３８に設定する。
【００６５】
また、ＣＰＵ３３は、信号生成レジスタ３８に設定した信号生成カウント値を不揮発性メモリ４０に記録する。印刷動作条件が変更されれば、同期検知信号(A)上の偽信号の発生タイミングは変化するので、偽信号の論理積回路への入力タイミングも変化する。従って、マスク信号(M)の生成タイミングを変化させる必要がある。そこで、操作・表示部６００で利用者から受け付けた印刷動作条件が変更された場合には、ＣＰＵ３３は、不揮発性メモリ４０から、変更後の印刷動作条件に対応する信号生成カウンタ値を読み出し、読み出した信号生成カウンタ値を信号生成レジスタ３８に設定する。
【００６６】
なお、不揮発性メモリ４０は、例えば、ＥＰＲＯＭ（Erasable Programmable Read Only Memory）により、その機能を発揮することができる。
【００６７】
以上の構成において、第２の実施の形態の光書込装置３１０で行われる書込み開始処理について図１１を参照して説明する。図１１は、第２の実施の形態の光書込装置３１０で行われる書込み開始処理の手順を示すフローチャートである。
【００６８】
まず、操作・表示部６００により、利用者から印刷動作条件を受け付ける（ステップＳＡ−１）。ついで、書込み制御ＡＳＩＣ３４は、信号生成カウント値設定処理（図１２参照）を実行する（ステップＳＡ−２０）。なお、ステップＳＡ−３〜ステップＳＡ−１０の手順は、第１の実施の形態において説明したので、ここではその説明を省略する。
【００６９】
ここで、第２の実施の形態で行われる信号生成カウント値設定処理について図１２を参照して説明する。図１２は、第２の実施の形態で行われる信号生成カウント値設定処理の手順を示すフローチャートである。
【００７０】
まず、ステップＳＡ−１（図１１参照）で受け付けた印刷動作条件に変更がある場合（ステップＳＡ−２１：Ｙｅｓ）、ＬＤドライバ１２を制御して、レーザダイオード１１からレーザ光を発光させる（ステップＳＡ−２２）。ステップＳＡ−２２で発光されたレーザ光が同期検知ミラー６を介して同期検知センサ７の受光部７１に受光されると、同期検知センサ７は、受光したレーザ光に対応する同期検知信号(A)を生成する（ステップＳＡ−２３）。
【００７１】
ついで、ＣＰＵ３３の処理により、ステップＳＡ−２３で生成した同期検知信号(A)の各周期の時間間隔を計測する（ステップＳＡ−２４）。なお、時間間隔の計測に際しては、主走査カウンタ３７を用いることができる。
【００７２】
ステップＳＡ−２４で、２周期分の時間間隔の計測をし（ステップＳＡ−２５：Ｙｅｓ）、各時間間隔が異なる場合（ステップＳＡ−２６：Ｙｅｓ）、ＣＰＵ３３の処理により、ステップＳＡ−２５で計測された各時間間隔を参照して、偽信号の入力タイミングに応じた信号生成カウント値を信号生成レジスタ３８に設定する（ステップＳＡ−２７）。
【００７３】
ついで、ＣＰＵ３３の処理により、ステップＳＡ２７で設定した信号生成カウント値とステップＳＡ−１で受け付けた印刷動作条件を関連付けて不揮発性メモリ４０に記録する。
【００７４】
なお、ステップＳＡ−２４で、２周期分の時間間隔の計測をし（ステップＳＡ−２５：Ｙｅｓ）、各時間間隔が異ならない場合（ステップＳＡ−２６：Ｎｏ）、処理手順は、書込み開始処理にリターンする。
【００７５】
また、ステップＳＡ−１（図１１参照）で受け付けた印刷動作条件に変更がない場合（ステップＳＡ−２１：Ｎｏ）、ＣＰＵ３３の処理により、不揮発性メモリ４０から印刷動作条件に対応する信号生成カウント値を読み出し（ステップＳＡ−２９）、ステップＳＡ−２９で読み出した信号生成カウント値を信号生成レジスタ３８に設定し（ステップＳＡ−３０）、処理手順は、書込み開始処理にリターンする。
【００７６】
以上説明したように、第２の実施の形態の画像形成装置１００によれば、同期検知センサ７で生成した同期検知信号(A)について、２周期分の時間間隔を計測し、計測した各時間間隔に基づいて、信号生成カウント値を信号生成レジスタ３８に設定するので、印刷動作条件に対応した信号生成カウント値を記録したＲＯＭ３１を不要とすることができる。
【００７７】
また、第２の実施の形態の画像形成装置１００によれば、信号生成レジスタ３８に設定した信号生成カウント値と印刷動作条件を関連付けて不揮発性メモリ４０に記録しておき、印刷動作条件が変更された場合には、変更後の印刷動作条件に対応する信号生成カウント値を不揮発性メモリ４０から読み出し、読み出した信号生成カウント値を信号生成レジスタ３８に設定するので、同期検知信号(A)の周期を計測する時間を省略することができる。また、このように、印刷動作条件に対応する信号生成カウント値を不揮発性メモリ４０から読み出すことができれば、画像形成装置１００の電源投入後に最初に設定された印刷動作条件に対応する信号生成カウント値を、周期検知信号の周期を計測することなく、信号生成レジスタ３８に設定することができる。
【００７８】
（第３の実施の形態）
次に、本発明にかかる第３の実施の形態の画像形成装置１００について説明する。なお、第３の実施の形態の説明においては、上述した第１の実施の形態または第２の実施の形態の画像形成装置１００の説明と重複する説明を省略する場合がある。
【００７９】
第１の実施の形態では、マスク信号(M)を生成し、生成したマスク信号(M)と同期検出信号(A)の論理積演算を行って、偽信号を除去していた。
【００８０】
これに対して、第３の実施の形態では、同期検知センサ７で生成した同期検知信号(A)上の偽信号を少なくとも当該偽信号の時間幅分遅延させたディレイ信号(D)を生成し、生成したディレイ信号(D)と同期検知信号(A)の論理積演算を行って、偽信号を除去する。
【００８１】
図１３示すように、論理積回路３６は、少なくとも偽信号の時間幅分遅延させたディレイ信号(D)と、同期検知信号(A)の論理積演算を行い、偽信号を除去した同期検知出力信号(O)を出力する。ディレイ信号(D)を用いれば、マスク信号(M)を生成する必要がなくなるので、信号生成カウント値の設定が不要となる。
【００８２】
図１４は、第３の実施の形態の書込み制御ＡＳＩＣ３４の構成の一例を示す図である。第３の実施の形態の書込み制御ＡＳＩＣ３４は、論理積回路３６と、主走査カウント３７と、少なくとも偽信号の時間幅分遅延させたディレイ信号(D)を生成するディレイ信号生成回路４１とから構成されている。
【００８３】
同図に示すように、同期検知センサ７で生成された同期検知信号(A)の入力先は、論理積回路３６とディレイ信号生成回路４１である。ディレイ信号生成回路４１は、図１３に示すように、同期検知センサ７からの同期検知信号(A)上に発生した偽信号の時間幅分遅延させたディレイ信号(D)を生成し、生成したディレイ信号(D)を論理積回路３６に出力する。
【００８４】
論理積回路３６は、同期検知センサ７で生成された同期検知信号(A)とディレイ信号生成回路４１で生成されたディレイ信号(D)の論理積演算を行い、同期検知出力信号(O)を出力する。
【００８５】
以上の構成において、第３の実施の形態の光書込装置３１０で行われる書込み開始処理について図１５を参照して説明する。図１５は、第３の実施の形態の光書込装置３１０で行われる書込み開始処理の手順を示すフローチャートである。
【００８６】
まず、操作・表示部６００の処理により、出力画像の解像度（ｄｐｉ）や転写紙のサイズなどの印刷動作条件を受け付ける（ステップＳＢ―１）。
【００８７】
ついで、ＬＤドライバ１２を制御して、レーザダイオード１１からレーザ光を発光させる（ステップＳＢ−２）。ステップＳＢ−２で発光されたレーザ光が同期検知ミラー６を介して同期検知センサ７の受光部７１に受光されると、同期検知センサ７は、受光したレーザ光に対応する同期検知信号(A)を生成する（ステップＳＢ−３）。
【００８８】
ついで、ディレイ信号生成回路４１は、ステップＳＢ−３で生成された同期検知信号(A)上に発生した偽信号の時間幅分遅延させたディレイ信号(D)を生成する（ステップＳＢ−４）。ついで、論理積回路３６は、ステップＳＢ−４で生成したディレイ信号(D)とステップＳＢ−３で生成した同期検知信号(A)の論理積演算を行い（ステップＳＢ−５）、同期検知信号(A)上に発生した偽信号を除去した同期検知出力信号(O)を出力する（ステップＳＢ−６）。
【００８９】
ついで、ステップＳＢ−６で論理積回路３６から出力された同期検知出力信号(O)上の正規信号の立下りに基づいて、画像情報の書き込みが開始される（ステップＳＢ−７）。
【００９０】
以上説明したように、第３の実施の形態の画像形成装置１００によれば、同期検知センサ７で生成した同期検知信号(A)上の偽信号の時間幅分遅延させたディレイ信号(D)を生成し、生成したディレイ信号(D)を用いて偽信号を除去するので、同期検知信号(A)上の正規信号の立下りに基づいて、画像情報の書き込みを開始させることができる。また、信号生成カウント値の設定を不要とすることができる。
【図面の簡単な説明】
【００９１】
【図１】第１の実施の形態にかかる画像形成装置１００の構成の一例を示す図である。
【図２】光書込装置３１０の動作を説明するための図である。
【図３】同期検知センサ７の構成の一例を示す図である。
【図４】光書込装置３１０の構成の一例を示す図である。
【図５】同期検知信号(A)、マスク信号(M)、および同期検知出力信号(O)を示す図である。
【図６】論理積回路に入力される信号と、論理積回路から出力される信号を示す図である。
【図７】第１の実施の形態の光書込装置３１０で行われる書込み開始処理の手順を示すフローチャートである。
【図８】主走査方向の先端位置および後端位置にそれぞれ同期検知センサを設けた光書込装置３１０を示す図である。
【図９】最小値の時間間隔と最大値の時間間隔を示す図である。
【図１０】光書込装置３１０の構成の一例を示す図である。
【図１１】第２の実施の形態の光書込装置３１０で行われる書込み開始処理の手順を示すフローチャートである。
【図１２】第２の実施の形態で行われる信号生成カウント値設定処理の手順を示すフローチャートである。
【図１３】同期検知信号(A)、ディレイ信号(D)、および同期検知出力信号(O)を示す図である。
【図１４】論理積回路に入力される信号と、論理積回路から出力される信号を示す図である。
【図１５】第３の実施の形態の光書込装置３１０で行われる書込み開始処理の手順を示すフローチャートである。
【符号の説明】
【００９２】
１  ＬＤユニット
２  ポリゴンミラー
３  ｆ−θレンズ
４  反射ミラー
５  感光体ドラム
６  同期検知ミラー
７  同期検知センサ
１１  レーザダイオード
１２  ＬＤドライバ
２１  ポリゴンモータ
２２  ポリゴンモータドライバ
３１  ＲＯＭ
３２  ＲＡＭ
３３  ＣＰＵ
３４  書込み制御ＡＳＩＣ
３５  マスク信号生成回路
３６  論理積回路
３７  主走査カウンタ
３８  信号生成レジスタ
３９  コンパレータ
４０  不揮発性メモリ
４１  ディレイ信号生成回路
１００  画像形成装置
２００  スキャナ部
３００  エンジン部
３１０  光書込装置
４００  画像処理部
５００  コントローラ
６００  操作・表示部
７００  ネットワークＩ／Ｆ
【図１】
2008216564.tif 000003
【図２】
2008216564.tif 000004
【図３】
2008216564.tif 000005
【図４】
2008216564.tif 000006
【図５】
2008216564.tif 000007
【図６】
2008216564.tif 000008
【図７】
2008216564.tif 000009
【図８】
2008216564.tif 000010
【図９】
2008216564.tif 000011
【図１０】
2008216564.tif 000012
【図１１】
2008216564.tif 000013
【図１２】
2008216564.tif 000014
【図１３】
2008216564.tif 000015
【図１４】
2008216564.tif 000016
【図１５】
2008216564.tif 000017